(57)【要約】      （修正有）【課題】紙管の中心部にも積層した積層用板紙を配し、しかも積層した積層用板紙の周囲は、更に表層用板紙で覆われた構造の撓みが少なく機械的性能の優れた紙製角棒材を提供する。【解決手段】（１）  複数の細長い積層用板紙２を積層することにより形成された紙製角棒材１において、積層により形成された積層体の側面は、側面を覆う表層用板紙３により、更に覆われた構造であることを特徴とする紙製角棒材。（２）  （１）において、複数の積層用板紙及び表層用板紙の接合には高分子化合物が使用されていることを特徴とする紙製角棒材。（３）  （１）において、複数の細長い積層用板紙及び、側面の表層用板紙には高分子化合物を含有する構造であることを特徴とする、（４）  （１）、（２）、（３）において、積層用板紙として、断面が均一な構造である厚紙、あるいは、断面に中空を有する中空紙が使用されていることを特徴とする紙製角棒材。【選択図】図１
0003115535.tif 000002
【実用新案登録請求の範囲】
【請求項１】
複数の細長い積層用板紙を積層することにより形成された紙製角棒材において、積層により形成された積層体の側面は、側面を覆う表層用板紙により、更に覆われた構造であることを特徴とする紙製角棒材。
【請求項２】
請求項１において、複数の積層用板紙及び表層用板紙の接合には高分子化合物が使用されていることを特徴とする紙製角棒材。
【請求項３】
請求項１において、複数の細長い積層用板紙及び側面の表層用板紙は、高分子化合物を含有する構造であることを特徴とする紙製角棒材。
【請求項４】
請求項１、２、３において、積層用板紙として、断面が均一な構造である厚紙が使用されていることを特徴とする紙製角棒材。
【請求項５】
請求項１、２、３において、積層用板紙として、断面に中空を有する中空紙が使用されていることを特徴とする紙製角棒材。
【請求項６】
請求項１、２、３において、表層用板紙は、積層用板紙を積層した積層体の底面及び側面の一つを覆った後、折り曲げられ、積層されている板紙の上面を覆い、再び折り曲げられ、側面を覆う構造であることを特徴とする紙製角棒材。
【請求項７】
請求項１、２、３において、積層用板紙を積層した積層体の底面及び側面を、表層用板紙で覆い、上面で表層用紙端部をあわせた構造であることを特徴とする紙製角棒材。
【請求項８】
請求項１、２、３において、表層用板紙は、積層用板紙を積層した積層体の側面の一つを覆い、別の側面は、別の表層用板紙で覆われた構造であることを特徴とする紙製角棒材。
【請求項９】
請求項１、２、３において、紙製角棒材の断面形状が四角形であることを特徴とする紙製角棒材。
【請求項１０】
請求項１、２、３において、紙製角棒材の断面形状が角を丸くした四角形であることを特徴とする紙製角棒材。
【考案の詳細な説明】
【技術分野】
【０００１】
本考案は、紙製角棒材に関するものである。
【背景技術】
【０００２】
従来包装材料としては、木材が広く使用されてきた。しかしながら、木材は有害な昆虫の幼虫や卵などで汚染されているおそれがある。このため、薫製処理などが行われておりコスト高となっている。また世界的に環境の保護、地球の温暖化防止などのため、木の伐採を少なくしたり、リサイクルをしたりすることが要求されている。
【０００３】
そこで、近年紙を使用した、角型紙管を包装材料などの用途に使用しようとする試みが注目されている。特に、角型紙管を、物品の輸送に際しての当該物品の保護のため使用することが注目されている。
【０００４】
しかし、これら角型紙管の欠点は、Ｌ型乃至コの字型の紙を重ねる構造のため、角型紙管の壁面の厚みを大きくするのは困難であり、多くの場合厚みが小さいため、柱としたとき、撓みが生じやすく、柱材としては不適切な場合が多い。そこで、本考案者は、角型紙管の中心部にも板紙を積層した紙製角棒材に着目した。
【０００５】
紙製角棒材に関連した先行技術として、中心部が中空となっている角型紙管及びその製造方法に関する技術が開示されている（特許文献１）。
紙を使用した積層材に関しては、紙とフェノール樹脂を積層した板状の成形品に関する技術が開示されている（特許文献２）。紙とフェノール樹脂を積層し電子部品の材料とするドリル加工用バックアップボードに関する技術が開示されている（特許文献３）。また、板紙とポリオレフィン樹脂をラミネートし、プレス加工などを施し、蓋とする技術が開示されている（特許文献４）。
【０００６】
【特許文献１】特開２０００−４３１７０号公報
【特許文献２】特許第３０６７５１３号公報
【特許文献３】特開平８−１１８２９６号公報
【特許文献４】特開平８−２６２４６号公報
【０００７】
しかしながら、中心部に板紙を積層した構造であり、しかも積層した板紙の周囲は、更に板紙で覆われた構造の紙製角棒材に関する技術は開示されていない。
【０００８】
そこで、本考案者は、紙管の中心部にも積層した板紙を配し、しかも積層した板紙の周囲は、更に板紙で覆われた構造の紙製角棒材にすれば、撓みが少なく、前記問題点が解決可能であることを認め、本願に到達したのである。
【考案の開示】
【考案が解決しようとする課題】
【０００９】
本考案の目的は、紙管の中心部にも積層した板紙を配し、しかも積層した板紙の周囲は、更に板紙で覆われた構造の撓みが少なく、機械的性能の優れた紙製角棒材の開発である。
【課題を解決するための手段】
【００１０】
すなわち本考案は、
（１）  複数の細長い積層用板紙を積層することにより形成された紙製角棒材において、積層により形成された積層体の側面は、側面を覆う表層用板紙により、更に覆われた構造であることを特徴とする、
（２）  （１）において、複数の積層用板紙及び表層用板紙の接合には高分子化合物が使用されていることを特徴とする、
（３）  （１）において、複数の細長い積層用板紙及び側面の表層用板紙は、高分子化合物を含有する構造であることを特徴とする、
（４）  （１）、（２）、（３）において、積層用板紙として、断面が均一な構造である厚紙が使用されていることを特徴とする、
（５）  （１）、（２）、（３）において、積層用板紙として、断面に中空部を有する中空紙が使用されていることを特徴とする、
（６）  （１）、（２）、（３）において、表層用板紙は、積層用板紙を積層した積層体の底面及び側面の一つを覆った後、折り曲げられ、積層されている板紙の上面を覆い、再び折り曲げられ、側面を覆う構造であることを特徴とする、
（７）  (１)、（２）、（３)において、積層用板紙を積層した積層体の底面及び側面を、表層用板紙で覆い、上面で表層用紙端部をあわせた構造であることを特徴とする、
（８）  （１）、（２）、（３）において、表層用板紙は、積層用板紙を積層した積層体の側面の一つを覆い、別の側面は、別の表層用板紙で覆われた構造であることを特徴とする、
（９）  （１）、（２）、（３）において、紙製角棒材の断面形状が四角形であることを特徴とする、
（１０）  （１）、（２）、（３）において、紙製角棒材の断面形状が角を丸くした四角形であることを特徴とする。
【００１１】
本考案においては、紙製角棒材は、中心に積層用板紙が積層された構造となっている。このため、中空となっている角型紙管と比較して撓み性が少なく、より機械的強度が優れている。
【００１２】
ここに本考案で使用される積層用板紙としては、比較的短い繊維長の小繊維が絡み合った構造であり、しかも空隙の少ない均一構造の板紙であってもよいし、蜂の巣状の空隙を有する紙であってもよい。
【００１３】
本考案において、積層用板紙の積層により形成された積層体の側面は、積層用板紙の側面に基づく不揃いが存在する。このため、側面を覆う表層用板紙により、更に覆われた構造とすることが必要となる。側面を覆う表層用板紙は一枚であってもよいし、複数の紙を重ねあわせた構造であってもよい。積層用板紙及び表層用板紙のための板紙の厚さとしては、０．１ミリメートルから５．０ミリメートル、好ましくは０．１ミリメートルから３．０ミリメートルの厚さが適切である。０．１ミリメートルより小さいと積層の回数が多くなりコストアップにつながるし、５．０ミリメートルより大きくなると、撓み性などの性能の向上効果が少ないからである。
【００１４】
本考案において、積層する積層用板紙、表層用板紙の接着には、高分子化合物が使用される。ここに使用される高分子化合物としては、デンプン糊、ポリビニルアルコール、フェノール樹脂、メラミン樹脂、アクリル樹脂、メタクリル樹脂、酢酸ビニル樹脂、エチレン・酢酸ビニル共重合体、エチレンアクリル酸エステル共重合体、エポキシ樹脂など従来公知の高分子化合物が使用できる。
【００１５】
上記高分子化合物は、積層用板紙及び表層用板紙の間に存在する場合のみならず、積層用板紙及び表層用板紙の内部に浸透し、積層用板紙及び表層用板紙を構成する小繊維の間に浸透し、含浸された状態にすることもできる。
高分子化合物が小繊維の間に浸透すれば、高分子化合物と小繊維が強固に結合するので、一般に撓みの少ない強靱な紙製角棒材となる。
【００１６】
本考案の紙製角棒材は、その断面は四角形、乃至角を丸くした四角形が好ましい。断面の一辺の長さは２．０ミリメートル〜２００．０ミリメートルの範囲が適切である。２．０ミリメートルより小さいと撓み性、強度の点で不満があり、２００．０ミリメートルより大きいとコストアップとなるからである。
【考案を実施するための最良の形態】
【００１７】
図１は、積層用板紙２を積層した積層体の各側面に、二枚の表層用板紙３を貼り合わせた紙製角棒材１の斜視図である。なお、積層用板紙の積層に使用する高分子化合物としては、エポキシ系接着剤が使用された。
図２は、積層用板紙２を積層した積層体の底面及び側面を、一枚の表層用板紙３で覆い、上面で表層用紙３の端をあわせる前の断面図である。表層用板紙は、折り曲げを容易にするため、部分的に切れ目を入れることができる。
【００１８】
図３は、積層用板紙２を積層した積層体の底面及び側面を、一枚の表層用板紙３で覆い、上面で表層用板紙端部５をあわせた紙製角棒材１の断面図である。
図４は、積層用板紙２を積層した積層体の底面及び側面を二枚の表層用板紙３で覆い、上面で表層用板紙端部５をあわせた紙製角棒材１の断面図である。
【００１９】
図５は、積層用板紙２を積層した積層体の底面、側面、上面を、一枚の表層用板紙３で覆い、底面の端で、表層用板紙端部５をあわせた紙製角棒材１の断面図である。
図６は、本考案で使用できる中空紙４の断面図であり、中空部６、中空紙板紙部７がある。  
【産業上の利用可能性】
【００２０】
本考案によれば、紙製角棒材は、以下の効果が認められた。
（１）  害虫の幼虫や卵が存在しないため衛生的である
このため、外国に輸出しても、有害な害虫を広めることはない。
（２）  釘などの金属を使用しておらず使用後の廃棄やリサイクルが容易である。
（３）  撓み性や、引張り強度、折曲げ強度などの機械的強度が優れる。
【図面の簡単な説明】
【００２１】
【図１】積層用板紙を積層した積層体の側面に、二枚の表層用板紙を貼り合わせた紙製角棒材の斜視図である。
【図２】積層用板紙を積層した積層体の底面及び側面を、一枚の表層用板紙で覆い、上面で表層用板紙の端をあわせる前の断面図である。
【図３】積層用板紙を積層した積層体の底面及び側面を、一枚の表層用板紙で覆い、上面で表層用紙端部をあわせた紙製角棒材の断面図である。
【図４】積層用板紙を積層した積層体の底面及び側面を、二枚の表層用板紙で覆い、上面で表層用板紙端部をあわせた紙製角棒材の断面図である。
【図５】積層用板紙を積層した積層体の底面、側面、上面を、一枚の表層用板紙で覆い、底面の端で、表層用板紙端部をあわせた紙製角棒材の断面図である。
【図６】本考案で使用できる中空紙の断面図である。
【符号の説明】
【００２２】
１  紙製角棒材
２  積層用板紙
３  表層用板紙
４  中空紙
５  表層用板紙端部
６  中空部
７  中空紙板紙部
【図１】
0003115535.tif 000003
【図２】
0003115535.tif 000004
【図３】
0003115535.tif 000005
【図４】
0003115535.tif 000006
【図５】
0003115535.tif 000007
【図６】
0003115535.tif 000008